(57)【要約】【課題】増設機器の取付作業を楽にして作業性を高めると共に、それでいて既設機器に隣接する増設機器との間隔を短くして一体感を高めることにより、増設時の外観体裁を良好にし得る機器の連接構造およびこれを備えた取付器具を提供する。【解決手段】本体機器と壁面との間に配置して壁面に取り付け可能になっている本体機器側ブラケットＢ１に設けられている取付片凹部１１または取付片凸部１０に、増設機器と壁面との間に配置して壁面に取り付け可能になっている増設機器側ブラケットＢ２に設けられている取付片凸部１０または取付片凹部１１を、互いに嵌合することにより、本体機器と増設機器とを隣接して接続可能にする機器の連接構造。【選択図】図２
2006220212.tif 000002
【特許請求の範囲】
【請求項１】
壁面に取り付け可能な本体機器の側辺に設けられている取付片凹部または取付片凸部に、壁面に取り付け可能な増設機器の側辺に設けられている取付片凸部または取付片凹部を、互いに嵌合することにより、本体機器と増設機器とを隣接して接続可能にする機器の連接構造。
【請求項２】
本体機器と壁面との間に配置して壁面に取り付け可能になっている本体機器側取付器具に設けられている取付片凹部または取付片凸部に、増設機器と壁面との間に配置して壁面に取り付け可能になっている増設機器側取付器具に設けられている取付片凸部または取付片凹部を、互いに嵌合することにより、本体機器と増設機器とを隣接して接続可能にする機器の連接構造。
【請求項３】
前記取付片凸部が、前記取付器具の隣接する側辺２辺のそれぞれに、互いに離間して一対設けられている共に、前記取付片凹部が他の隣接する側辺２辺のそれぞれに、互いに離間して一対設けられていて、前記取付片凸部と取付片凹部とが互いに嵌合可能になっている請求項１又は２記載の機器の連接構造。
【請求項４】
前記取付片凸部が、先端部と、この先端部より幅広の中間部と、この中間部より幅狭の根元部とからなり、前記先端部の先端が円弧状になっている請求項１〜３のいずれか１項記載の機器の連接構造。
【請求項５】
請求項２〜４のいずれか１項記載の機器の連接構造を備えた取付器具。
【請求項６】
本体機器または増設機器の略矩形状をした裏面と略同じ形状を有する薄板矩形状をしていて、表面側に前記本体機器または増設機器を装着可能な係止手段を有すると共に、前記壁面に固着可能になっている請求項５記載の取付器具。
【発明の詳細な説明】
【技術分野】
【０００１】
本発明は機器の連接構造およびこれを備えた取付器具に関し、詳しくは、セキュリティ機器などの既設の本体機器に、機能を増強するため増設機器を美観性よく連接し易くする機器の連接構造およびこれを備えた取付器具に関する。
【背景技術】
【０００２】
近年、犯罪の増加による安全対策の社会的要請は、業務用のみならず、一般住居においても強いものがある。一方で電子通信技術の発展から、かかる技術を利用した、いわゆるセキュリティ機器の機能も著しく向上している。このようなセキュリティ機器は、入口や窓その他の開口部に対する電気錠の操作ユニット、警報機能、指定場所への通報機能、電話機、テレビジョン画像によるモニターユニットなどを備えている。
【０００３】
しかし、一般家庭内において高機能なセキュリティ機器をそのまま設置するのは、不経済であり、業務用とは異なる家庭用の汎用機器として、多種多様な機能の内、必要な機能のみを備え、必要に応じて他の機能を追加可能な安価な機器の出現が望まれている。
【０００４】
かかる要請を満たすものとして、壁面に取り付けられている既設の装置に隣接して新たな機器を増設する壁面取り付けゲージが提案されている（例えば、特許文献１）。このゲージは、増設する機器を既設の機器に隣接した所定位置に取り付け易くすると共に、取り付け外観を体裁良くすべく、特定形状に構成したものである。
【特許文献１】特開平６−２４１３８９号公報
【発明の開示】
【発明が解決しようとする課題】
【０００５】
しかしながら、上記従来技術のゲージでは、増設機器の取り付け時に、壁面に取付金具をネジ固着して取り付け、この取付金具にゲージを係止し、このゲージを挟んで機器本体を取り付けるようにしているため、機器の取付作業に少なくない時間と手間がかかり、必ずしも作業性は高くないという問題がある。しかも、増設機器からの配線を挿通する孔を別に設ける必要があり、既設機器に隣接する増設機器の間隔を短くするためには、ゲージに形成されたスリットに沿って縦方向にゲージのかなりの部分を分断除去する必要があり、それだけ無駄が発生するという問題がある。
【０００６】
そこで、本発明は、上記従来技術の有する問題点に鑑みて、増設機器の取付作業を楽にして作業性を高めると共に、それでいて既設機器に隣接する増設機器との間隔を短くして一体感を高めることにより、増設時の外観体裁を良好にし得る機器の連接構造およびこれを備えた取付器具を提供することにある。
【課題を解決するための手段】
【０００７】
上記課題は、請求項記載の発明により達成される。すなわち、本発明に係る機器の連接構造の特徴構成は、壁面に取り付け可能な本体機器の側辺に設けられている取付片凹部または取付片凸部に、壁面に取り付け可能な増設機器の側辺に設けられている取付片凸部または取付片凹部を、互いに嵌合することにより、本体機器と増設機器とを隣接して接続可能にすることにある。
【０００８】
この構成によれば、既設の本体機器に対して、増設機器の取付片凸部または取付片凹部を、既設機器の取付片凹部または取付片凸部に嵌合させるだけであるので、両者の接続作業が容易であり、作業者により取り付け態様が異なるということがなく、しかも取付片凸部または取付片凹部の形状を調節することにより、隙間の少ない所定の間隔で増設機器を容易に並設することができる。
【０００９】
その結果、増設機器の取付作業を楽にして作業性を高めると共に、それでいて既設機器に隣接する増設機器との間隔を短くして一体感を高めることにより、増設時の外観体裁を良好にし得る機器の連接構造を提供することができた。
【００１０】
更に、本発明に係る機器の連接構造の特徴構成として、本体機器と壁面との間に配置して壁面に取り付け可能になっている本体機器側取付器具に設けられている取付片凹部または取付片凸部に、増設機器と壁面との間に配置して壁面に取り付け可能になっている増設機器側取付器具に設けられている取付片凸部または取付片凹部を、互いに嵌合することにより、本体機器と増設機器とを隣接して接続可能にするものであってもよい。
【００１１】
この構成によっても、上記したと同様な作用効果を発揮することができる。しかも、取付器具に予め配線挿通用の開口部を、打ち抜きその他の方法で設け易くすることも容易であり、現場の取付作業において、増設機器からの配線を挿通する孔を新たに開口する必要性をなくすことができる。
【００１２】
前記取付片凸部が、前記取付器具の隣接する側辺２辺のそれぞれに、互いに離間して一対設けられている共に、前記取付片凹部が他の隣接する側辺２辺のそれぞれに、互いに離間して一対設けられていて、前記取付片凸部と取付片凹部とが互いに嵌合可能になっていることが好ましい。
【００１３】
この構成によれば、増設機器を連接する作業を安定して行うことができるだけでなく、連接後の安定性が高く、不測の外力の発生などによっても、外れたり傾斜したりし難くなる。
【００１４】
前記取付片凸部が、先端部と、この先端部より幅広の中間部と、この中間部より幅狭の根元部とからなり、前記先端部の先端が円弧状になっていることが好ましい。
【００１５】
この構成によれば、既設の本体機器側の取付片凹部に増設機器側の取付片凸部を挿入して嵌合する現場作業が容易となるだけでなく、先端部あるいは中間部の長さを変更することによって本体機器と増設機器間の間隔を調整し易くなり、しかも使用しない取付片凸部の除去が容易であり、連接後の美観性を高めることができる。
【００１６】
又、本発明に係る取付器具の特徴構成は、前述した請求項２〜４のいずれか１項記載の機器の連接構造を備えたことにある。
【００１７】
この構成によれば、増設機器の取付作業を楽にして作業性を高めると共に、それでいて既設機器に隣接する増設機器との間隔を短くして一体感を高めることにより、増設時の外観体裁を良好にし得る取付器具を提供することができる。
【００１８】
本体機器または増設機器の略矩形状をした裏面と略同じ形状を有する薄板矩形状をしていて、表面側に前記本体機器または増設機器を装着可能な係止手段を有すると共に、前記壁面に固着可能になっていることが好ましい。
【００１９】
この構成によれば、既設機器あるいは増設機器を容易かつ確実に装着可能になり、装着時の美観性にも優れたものとできる。
【発明を実施するための最良の形態】
【００２０】
本発明の実施形態を、図面を参照して詳細に説明する。図１〜３は、本実施形態に係る機器の連接構造を備えた取付器具に、取り付けられる機器の１種であるセキュリティ機器の壁面などへの取付を説明する斜視図である。
【００２１】
図１は、室内各所に配置されたセンサー類（図示略）や表示手段（図示略）と無線で連絡可能な本体機器である無線ユニット型コントローラ（以下、単にコントローラということがある）Ａに対し、これに隣接して他の機器（ユニット）を増設可能にする取付器具であるブラケットＢを示す。コントローラＡは、フロントケース部Ａ１とリアケース部Ａ２からなり、フロントケース部Ａ１上の解除ボタン２や作動ボタン３にてコントローラの操作が可能になっている。
【００２２】
コントローラＡは、正面視で略矩形状をしたフロントケース部Ａ１の上部中央に、現在の状況を文字表示する液晶パネル１が設けられており、その下部の左右２箇所に、機能を解除する解除ボタン２と機器の作動を入力する作動ボタン３とが設けられていて、これら各ボタン２，３の下方には、解除ボタン２及び作動ボタン３が操作された後に点灯する解除ランプ４及び作動ランプ５が設けられている。そして、外出時や就寝時などの場合に、作動ボタン３を押すことにより作動ランプ５が点灯し、帰宅時や作動を解除したい時に解除ボタン２を押圧すると、解除ランプ４が点灯する。
【００２３】
中央下部には、配置されている各種センサーからの信号を受けて、異常時を警報すべくサイレン音やブザー音を発するスピーカー６が設けられている。更に、スピーカー６の左側には、電波状況確認ランプ７が設けられていて、各センサーとの通信状況に関し、色彩を変えて表示されるようになっている。例えば、コントローラＡから信号が送信される際には、緑色光が発せられ、逆に各センサーから受信する際には、赤色光が発せられる。これにより、コントローラＡと各センサー間の送受信が正常に行われていることを確認できる。
【００２４】
ブラケットＢは、コントローラＡのリアケース部Ａ２の裏面側形状と略同じ表面形状を有する樹脂製の薄板矩形状をしていて、表面側にコントローラＡを装着可能な、上部左右および下部中央の３箇所に形成された係止手段である断面略Ｌ字形の係止凸部８を有すると共に、この係止凸部８に近接して固着具であるネジ１４などを介して室内壁面などに固着されるネジ孔９を有している。もっとも、ブラケットＢにコントローラＡを装着するのは、係止凸部８による方式に限定されるものではなく、例えば、両者をネジで固着してもよいし、その他の方式を採用してもよい。
【００２５】
更に、ブラケットＢの互いに隣接する側辺２辺の２箇所に、増設機器を連接可能な取付片凸部１０を設けると共に、他の互いに隣接する側辺２辺には、取付片凸部１０が挿入され嵌合されると容易に抜け出せないように、取付片凸部１０の形状に合致する形状の取付片凹部１１が形成されている。取付片凸部１０は、ブラケットＢと一体に成形されているため、バラバラにならず取り扱い易くなっているが、ブラケットＢと別体にして個別に取付片凹部１１に挿入され嵌合されるようになっていてもよい。その場合は、ブラケットＢの各側辺には、取付片凸部が挿入される凹部のみが形成されることになる。
【００２６】
取付片凸部１０は、先端部１０ａの先端が円弧状に形成されて丸味を有すると共に、先端部１０ａが中間部１０ｂより細く形成されており、このような形状であるため、壁面に取り付けられた薄板状の、既設の本体機器側ブラケットＢの取付片凹部１１に、増設機器側ブラケットＢの取付片凸部１０を挿入する作業を行い易くしている。また、先端部１０ａの長さ、あるいは先端部１０ａに比べて幅広に形成されている中間部１０ｂの奥行き長さを選択することにより、隣接する機器間の距離を一定にすることができる。更に、根元部１０ｃが細くなっているため、この箇所から折り取って除去し易い構成になっている。これは、後述するように、既設の本体機器に増設機器を接続して連接する際、使用しなかった取付片凸部１０が機器の外側に露出して、美観を損なうことを避けるため、折り取って除去することがあるからである。なお、根元部１０ｃの形状は、厚み方向に薄くなっていてもよく、あるいは幅方向、厚み方向の両者が中間部より薄くかつ細くなっていてもよく、要は、根元箇所から折り取って除去し易い形状になっていることが好ましい。
【００２７】
増設機器としては、例えば、室内に各所に配置されたセンサーにより不審者あるいは異常事態を検知したような場合、警報機を発動させることに加えて、場所別の検知結果を液晶パネル１に表示させたり、近隣の居住者宅などの、予め登録されている指定の電話に通報したりする機能を備えた機器、あるいは、高齢者住宅などにおいて高齢者に異常事態が生じた場合に、高齢者が常時保持している緊急ボタンを押圧して発せられた信号を捕らえて家族に通報する機器など種々の機能を備えた機器が考えられ、もとよりこれらに限定されるものではない。これらの増設機器を本体とは別にすることにより、使用者が必要な機能を備えた機器に随時機能拡張することができ、購入価格を低減できる。
【００２８】
ブラケットＢには、コントローラＡと外部電源、増設機器との間に接続する配線を、壁面背部から挿通させることを可能にする打ち抜き箇所を適宜設けることができる。この打ち抜き箇所は、その周囲数箇所の設けられた細い接続片以外を切欠いた溝を形成しておき、取付作業を行う際に必要に応じて、打ち抜き箇所を切り取り除去するようにすることができる。
【００２９】
コントローラＡに接続されるセンサーとしては、室内各所に配置されたドアや窓などの開口部の開閉を検知したり、煙や熱などを検知したりする、マグネットセンサー、パッシブセンサー、赤外線センサー、シャッターセンサー、ガラス破壊センサー、炎センサー等があり、特に限定されるものではない。
【００３０】
コントローラＡに接続される表示手段しては、音声表示器具、視覚表示器具。あるいはこれら両者を併せ備えた器具などがあり、例えば、アラーム表示灯、ＬＥＤ表示灯、発光源が回転する回転灯、電子音報知器、音声と視覚表示を発する音声合成回転灯などが挙げられるが、特にこれらに限定されるものではなく、センサーの検知に対応して何らかの識別可能な表示が発せられるものであればよい。これら各種センサー、表示手段などに対するコントローラＡからの接続は、コントローラＡからの無線連絡を受けた受信機を介して、この受信機から有線で接続されていてもよい。
【００３１】
次に、図２、３を参照しつつ、既設の本体機器に隣接して他の機器を増設する方法について説明する。
【００３２】
図２は、既設の本体機器（煩雑化を避けるため図示略）の下方に隣接して、増設機器（煩雑化を避けるため図示略）を取り付ける例を示したものである。まず、既設機器を壁面より取り外し、既設機器と壁面との間にブラケットＢ１を設置すべく、ブラケットＢ１を壁面に固定する。この固定は、ブラケットＢ１のネジ孔にネジ１４を挿通する等して行う。もっとも、既設の本体機器が、壁面に固定されたブラケットＢ１に取り付けられている場合には、改めてブラケットＢ１を壁面に固定する必要はない。ブラケットＢ１が壁面に固定されると、ブラケットＢ１の下辺に形成されている一対の取付片凹部１１に、増設機器用のブラケットＢ２の一対の取付片凸部１０を挿入して接続する。この場合、ブラケットＢ１の取付片凹部１１と、ブラケットＢ２の取付片凸部１０とが、左右一対の嵌合方式となっているので、両者の接続が強固かつ安定したものとすることができる。しかも、取付片凸部１０の先端は、上記したように円味を帯びている共に細くなっているので、薄板状のブラケットに形成されている取付片凹部１１に対しても、挿入し易くなって、接続作業が行い易くなっている。ブラケットＢ１とブラケットＢ２とを接続すると、ブラケットＢ１を固定したと同様にして、ブラケットＢ２のネジ孔９にネジ１４を挿通して壁面に強固に固定する。また、壁面裏側から配線を挿通する開口部が壁面に形成されているような場合には、挿入口孔用部材１３を背面の成型接続箇所を切り取って、取り外し、除去し、壁面に形成されている開口部に取り付ける。
【００３３】
既設機器側のブラケットＢ１あるいはＢ２に残る、使用しない上辺あるいは左辺の取付片凸部１０は、取付片凸部１０の根元部１０ｃが細くなっているため、容易に切断除去することができ、ブラケットＢ１あるいはＢ２を壁面に固定後、随時折り取って除去する。取付片凸部１０を除去することにより取付後の美観を高めることができる。
【００３４】
その後、ブラケットＢ１には、ブラケットＢ１に形成されている３箇所の係止凸部８に、既設機器の裏面に設けられている３箇所の差し込み口（図示略）を嵌合させて既設機器を装着し、また、ブラケットＢ２には同様にして増設機器を装着する。その場合、ブラケットＢ１，Ｂ２に形成されている、接続される互いの片に近い打ち抜き片１２を切除することにより形成された空間を通して配線を挿通し、既設機器と増設機器とを電気的に接続する。
【００３５】
図３は、同様にして、ブラケットＢ１の横方向から、増設機器用のブラケットＢ３を接続する方法を示したものである。図２に示したと略同様な方法で、既設機器の右横側に、増設機器用のブラケットＢ３を取り付けることにより、ブラケットＢ３に増設機器を装着して、増設機器を連接することができる。もとより、取付位置の制約などから、既設機器の上側あるいは左側に増設機器を連接してもよく、のみならず増設機器を互いに隣接させながら、更に増やすこともできる。
【００３６】
以上のように、本実施形態によれば、既設機器に増設機器を作業性よく隣接して接続でき、機器間に生じる隙間はわずかであり、スペースを有効に利用できると共に、作業者によって、取り付け位置が不揃いになるようなことがないため、外観上体裁のよいものとすることができる。
【００３７】
〔別実施の形態〕
（１）上記実施形態では、取付片凸部１０を各辺から水平方向および垂直方向に突出する形状の例を挙げたが、突出方向を傾斜した斜め方向とすると共に、取付片凸部が挿入される取付片凹部も、取付片凸部が挿入可能なように斜め方向に形成されていてもよい。このようにすると、増設機器を取り付けるためにブラケットを壁面にネジ止めする際、落下し難くなり取り付け時の作業性が向上して都合がよい。
（２）上記実施形態では、取付片凸部１０をブラケットの左辺および上辺に設け、取付片凹部１１をブラケットの右辺および下辺に設けた例を示したが、取付片凸部と取付片凹部とを設けた位置を逆にしてもよく、更には、取付片凸部と取付片凹部とを隣接２辺に一対設けるようにしたが、取付片凸部の個数、位置、大きさなどはブラケットの形状、大きさなどにより適宜変更可能である。更に、１辺に取付片凸部を一対設ける代わりに、各辺に取付片凸部と取付片凹部とを互い違いに設けるようにしてもよく、要は、隣接する機器どうしの取付片凸部と取付片凹部とが互いに嵌合して、両者を連接可能な位置関係にあればよい。
（３）上記実施形態では、コントローラＡとして、無線連絡可能な無線型ユニットを例に挙げて説明したが、もとより有線で連絡可能な構造であってもよいし、目的に応じて適宜有線と無線とを組み合わせてもよい。
（４）上記実施形態では、コントローラＡと壁面との間にブラケットＢを介して増設する例を説明したが、これに代えて、既設機器のコントローラ自体に取付片凹部を設けておき、増設する機器側に壁面との固着機構を設けると共に取付片凸部を設けて、これらコントローラの取付片凹部と増設機器側の取付片凸部とを嵌合させて隣接させてもよい。つまり、本体機器であるコントローラＡのフロントケース部Ａ１を開き、リアケース部Ａ２の壁面側近傍の右辺および上辺にブラケットＢに設けたと同様な取付片凸部を設けると共に、左辺および下辺にブラケットＢに設けたと同様な取付片凹部を設けておき、本体機器に隣接して、同様な取付片凸部および取付片凹部を備えた増設機器を接続するようにする。この構成であると、ブラケットを別に用意する必要がない。
【産業上の利用可能性】
【００３８】
本発明は、上記したセキュリティ機器のみならず、玄関口のインターフォン機器に防犯テレビ機能を増設する場合や、各種情報機器を増設する場合など、各種機器を近接して設置する場合に広く利用することができる。
【図面の簡単な説明】
【００３９】
【図１】本発明の一実施形態に係る連接構造を備えた取付器具に機器本体の取付を説明する斜視図
【図２】既設の本体機器用取付器具に隣接して他の機器用取付器具の増設を説明する斜視図
【図３】既設の本体機器用取付器具に隣接して他の機器用取付器具の増設を説明する別形態の斜視図
【符号の説明】
【００４０】
８        係止手段
１０      取付片凸部
１０ａ    先端部
１０ｂ    中間部
１０ｃ    根元部
１１      取付片凹部
Ａ        本体機器
Ｂ        取付器具
【図１】
2006220212.tif 000003
【図２】
2006220212.tif 000004
【図３】
2006220212.tif 000005